(57)【要約】【課題】検知センサや不正防止制御回路などの電気的駆動手段を使用せずに不正行為を確実に防止することができる弾球遊技機を提供する。【解決手段】遊技盤４の遊技領域９に遊技球の流入口１９を有する役物装置１１が配設され、この役物装置１１の内部にステージ面２２ａを有する誘導板２２が前傾姿勢に配置されていると共に、この誘導板２２の前方に当選孔２３と落選孔２４が設けられている弾球遊技機１であって、誘導板２２の前端側に回動支点となる軸支部２２ｂを設け、この誘導板２２の裏面側に動作部材２５を前後方向へ移動可能に配置すると共に、この動作部材２５と誘導板２２の裏面との間に回転可能な保持体２６を介設し、「ド突き」によって動作部材２５が前後方向へ移動したとき、この動作部材２５の移動に伴って保持体２６を回転させることにより、誘導板２２が前傾姿勢から回動して後傾姿勢となるようにした。【選択図】図５
2010119488.tif 000002
【特許請求の範囲】
【請求項１】
遊技盤の遊技領域に遊技球の流入口を有する役物装置が配設され、この役物装置の内部に前面側へ傾斜するステージ面が設けられていると共に、このステージ面の前方に特定領域と非特定領域が設けられている弾球遊技機において、
前記ステージ面を有すると共に前端側を支点に回動可能な誘導板と、この誘導板の裏面側に前後方向へ移動可能に配置された動作部材と、この動作部材と前記誘導板との間に回転可能に介設された保持体とを備え、
前記動作部材が遊技盤に加えられた外力によって前後方向へ移動したとき、この動作部材の移動に伴って前記保持体を回転させることにより、前記誘導板が前傾姿勢から回動して後傾姿勢となるように構成したことを特徴とする弾球遊技機。
【請求項２】
請求項１の記載において、前記動作部材を磁性材料で形成し、この動作部材が遊技盤に近付けられた磁石の磁力によって前後方向へ移動されることを特徴とする弾球遊技機。
【請求項３】
請求項１または２の記載において、前記動作部材の下面が湾曲面となっていることを特徴とする弾球遊技機。
【発明の詳細な説明】
【技術分野】
【０００１】
本発明は、パチンコ店などの遊技場に設置して使用される弾球遊技機に係り、特に、入球した遊技球がステージ面を転動して特定領域と非特定領域のいずれか一方へ誘導されるようにした役物装置を備えた弾球遊技機に関するものである。
【背景技術】
【０００２】
パチンコ機に代表される弾球遊技機の中には、センター役物と呼ばれる役物装置を遊技盤の遊技領域に配設し、この役物装置内に入球した遊技球をステージ面上で転動させて特定領域と非特定領域のいずれか一方へ誘導するようにした機種が知られている（例えば、特許文献１参照）。この役物装置は上部の左右両側に流入口を有しており、これら流入口はソレノイド等を駆動源として動作される可動片によって開閉可能となっている。ステージ面は前傾姿勢に配置された板状部材であり、流入口から入球した遊技球はステージ面の傾斜に沿って前面側へ誘導される。
【０００３】
このような弾球遊技機において、役物装置内に入球した遊技球がステージ面上に落下すると、その遊技球は前傾姿勢のステージ面を転動しながら前面側へ誘導され、最終的には特定領域（Ｖ入賞口）と呼ばれる当選孔または非特定領域と呼ばれる落選孔のいずれか一方に入る。落選孔に入った遊技球はセンサによって検知された後、遊技盤の裏面側にハズレ球として排出される。一方、当選孔に入った遊技球はセンサによって検知された後、遊技盤の裏面側に当たり球として排出されて「大当たり」と呼ばれる遊技状態へ移行する。そして、「大当たり」が発生すると遊技者にとって有利な遊技状態となり、例えば遊技領域の適宜位置に配置された大入賞口が所定回数だけ連続的に開放するなど、多くの賞球を獲得する機会が付与される。
【０００４】
上述したようにステージ面を内蔵する役物装置が配設された弾球遊技機では、ステージ面上を転動する遊技球の進行方向によって「大当たり」と「ハズレ」の振り分け動作が行われるため、ステージ面上での遊技球の転動方向をドキドキしながら見ることにより、遊技者の興趣を高めることができる。しかし、遊技球がステージ面上を転動しているときに、遊技盤を叩いたり揺らして遊技球に外力を加える「ド突き」と呼ばれる不正行為や、磁石を近付けて遊技球の進路を変えるという不正行為を行うことにより、遊技球を当選孔へ不正に導いて「大当たり」を意図的に発生させることが可能となる。
【０００５】
そこで、従来より、遊技盤の裏面側に振動検知センサと磁気検知センサを配設し、振動検知センサが外部からの振動を検知したとき、あるいは磁気検知センサが磁石の磁力線を検知したとき、警報装置を作動させたり主電源を遮断することによって、外部振動や磁石による不正行為を防止するようにした弾球遊技機が知られている（例えば、特許文献２参照）。振動検知センサは所定の強さ以上の振動を検知すると、その検知信号を不正防止制御回路に送信し、かかる検知信号の継続的な時間経過によって不正な振動とノイズとが区別判断され、不正な振動であると判断された場合に警報装置の作動や主電源の遮断が行われる。同様に、振動検知センサは所定の強さ以上の磁界を検知すると、その検知信号を不正防止制御回路に送信し、かかる検知信号の継続的な時間経過によって不正な磁気とノイズとが区別判断され、不正な磁気であると判断された場合に警報装置の作動や主電源の遮断が行われる。
【特許文献１】特開２００８−２２９０９４号公報
【特許文献２】特開２００３−２３６１８８号公報
【発明の開示】
【発明が解決しようとする課題】
【０００６】
前述したように特許文献２に開示された従来技術では、振動検知センサと磁気検知センサという２種類の検知センサを用いて外部振動や磁石による不正行為を防止するようにしているが、これら振動検知センサや磁気検知センサの１回の検知信号に基づいて不正行為であるか否かを正確に判定することは困難である。すなわち、振動検知センサと磁気検知センサは経年的に感度が低下し易やすく、しかも外部環境の温度変化や湿度変化の影響を受け易いデバイスであるため、これら検知センサが所定強さの振動や磁界を１回検知しただけで、これを不正な振動や磁界であると判断してしまうと、例えば不注意等によって弾球遊技機に作用する外力（ノイズ）を不正な振動と誤検出してしまう虞がある。このような理由から上記した従来技術では、振動検知センサまたは磁気検知センサが所定強さの振動や磁界を継続して複数回検知したときだけ、これを不正な振動や磁界であると判断するようにしている。
【０００７】
しかしながら、特許文献１に開示された弾球遊技機のように、ステージ面を内蔵する役物装置が配設された弾球遊技機においては、ステージ面上の遊技球を「ド突き」と呼ばれる１回の衝撃力によって当選孔に落下させることが可能であるため、振動検知センサの継続的な振動検知を必要とする従来技術では、かかる１回の「ド突き」を不正行為と判定することができなくなる。
【０００８】
本発明は、このような従来技術の実情に鑑みてなされたもので、その目的は、検知センサや不正防止制御回路などの電気的駆動手段を使用せずに不正行為を確実に防止することができる弾球遊技機を提供することにある。
【課題を解決するための手段】
【０００９】
上記の目的を達成するために、本発明は、遊技盤の遊技領域に遊技球の流入口を有する役物装置が配設され、この役物装置の内部に前面側へ傾斜するステージ面が設けられていると共に、このステージ面の前方に特定領域と非特定領域が設けられている弾球遊技機において、前記ステージ面を有すると共に前端側を支点に回動可能な誘導板と、この誘導板の裏面側に前後方向へ移動可能に配置された動作部材と、この動作部材と前記誘導板との間に回転可能に介設された保持体とを備え、前記動作部材が遊技盤に加えられた外力によって前後方向へ移動したとき、この動作部材の移動に伴って前記保持体を回転させることにより、前記誘導板が前傾姿勢から回動して後傾姿勢となるように構成した。
【００１０】
このように構成された弾球遊技機では、遊技中に遊技球が流入口から役物装置の内部に入球し、この遊技球が前傾姿勢に保たれた誘導板のステージ面上を転動しているときに、「ド突き」によって遊技球を特定領域へ強引に導こうとすると、その外力を受けて動作部材が前後方向へ移動して保持体を回転させるため、前傾姿勢に保たれていた誘導板が回動して後傾姿勢となり、ステージ面上の遊技球は後方へ転動して特定領域に入らなくなる。このように「ド突き」によって遊技球を特定領域に意図的に導くことはできず、検知センサや不正防止制御回路などの高価な電気的駆動手段を使用しなくても、メカニカルな構成によって不正行為を確実に防止することができる。
【００１１】
上記の構成において、動作部材を磁性材料で形成し、この動作部材が遊技盤に近付けられた磁石の磁力によって前後方向へ移動されるようにすると、磁石を近付けたときも誘導板が回動して後傾姿勢となるため、「ド突き」だけでなく磁石による不正行為も防止することができて好ましい。
【００１２】
また、上記の構成において、動作部材の形状は特に限定されるものでないが、この動作部材の下面が湾曲面となっていると、外力によって動作部材を前後方向へスムーズに移動させることができて好ましい。
【発明の効果】
【００１３】
本発明の弾球遊技機は、ステージ面を有する誘導板が動作部材と保持体によって前傾姿勢に保たれており、この動作部材が遊技盤に加えられた外力を受けて前後方向へ移動すると、それに伴って保持体が回転して誘導板が後傾姿勢となるため、「ド突き」によって遊技球を特定領域に意図的に導くことはできず、安価でメカニカルな構成によって不正行為を確実に防止することができる。
【発明を実施するための最良の形態】
【００１４】
発明の実施の形態について図面を参照して説明すると、図１は本発明の実施形態例に係る弾球遊技機の正面図、図２は該弾球遊技機に備えられる役物装置の正面図、図３は該役物装置の要部を示す説明図、図４は該役物装置の通常使用状態を示す要部断面図、図５は図４に示す誘導板の動作説明図である。
【００１５】
図１に示すように、本実施形態例に係る弾球遊技機１は、遊技場の島設備に配置される機枠２と、機枠２に扉状に開閉自在に取り付けられた前面枠３と、前面枠３に収納保持された遊技盤４と、前面枠３の前面に扉状に開閉自在に取り付けられたガラス枠５と、前面枠３の下方に配設された前面ボード６と、前面ボード６に取り付けられた発射ハンドル７等を具備している。
【００１６】
遊技盤４はガイドレール８等で囲まれた遊技領域９を有しており、遊技者の手動操作によって発射ハンドル７が任意角度に回転されると、図示せぬ発射装置が前面ボード６の受け皿１０に貯留された遊技球を遊技領域９に向けて連続的に打ち出すようになっている。遊技領域９の中央付近には役物装置１１が配設されており、詳細については後述するが、この役物装置１１は開閉可能な一対の可動片１２を有している。また、遊技領域９の下部側には一対の第１始動口１３と１つの第２始動口１４が配設されており、第１始動口１３に遊技球が入賞した場合に可動片１２が所定時間（例えば０．６秒）だけ１回開放動作し、第２始動口１４に遊技球が入賞した場合に可動片１２が所定時間だけ２回繰り返して開放動作するようになっている。さらに、遊技領域９の下部側にはアタッカーと呼ばれる大入賞口１５が配設されており、いずれの始動口１３，１４や大入賞口１５に入賞しなかった遊技球は遊技領域９の最下端部に設けられたアウト口１６から遊技盤４の裏面側へ排出されるようになっている。
【００１７】
図２に示すように、前記役物装置１１は、遊技盤４の略中央部に穿設された開口に可動片１２側の前面が露呈するように挿入固定される筐体１７を備えており、この筐体１７は装置の外殻を構成するものであって、筐体１７の内部は隔壁１８によって上部空間Ｓ１と下部空間Ｓ２に仕切られている。上部空間Ｓ１の左右両側には遊技球の流入口１９が設けられており、前述した可動片１２はこれら流入口１９の外側にそれぞれ配設されている。両可動片１２は図示せぬソレノイドを駆動源として図２の破線で示す閉鎖位置と実線で示す開放位置との間を回転動作し、可動片１２が開放動作しているときだけ流入口１９への入球が許可される。上部空間Ｓ１の内部にはテーパ状の誘導路２０が形成されており、この誘導路２０には隔壁１８の前端中央部に連通する透孔２０ａが設けられている。隔壁１８は前端部から後端部に向かって下り勾配となる後傾姿勢に保たれており、隔壁１８の前端中央部には三角錐状の振分け突部１８ａが形成されている。また、隔壁１８の後端部には複数の落下孔１８ｂが設けられており、隔壁１８の下面には中央の落下孔１８ｂに連通するガイド筒２１が垂設されている。これにより、流入口１９から上部空間Ｓ１の内部に入球した遊技球は、誘導路２０に案内されて隔壁１８の振分け突部１８ａに落下し、この振分け突部１８ａで任意方向に方向転換されて隔壁１８上を後端部に向かって転動した後、いずれか１つの落下孔１８ｂに入って直接またはガイド筒２１を通って下部空間Ｓ２の内部へと落下する。
【００１８】
下部空間Ｓ２の内底部には上面をステージ面２２ａとした誘導板２２が配設されており、この誘導板２２は後端部から前端部に向かって下り勾配となる前傾姿勢に保たれている。したがって、落下孔１８ｂまたはガイド筒２１を通って下部空間Ｓ２内へ落下した遊技球は、誘導板２２のステージ面２２ａ上を前端部に向かって転動した後、最終的には誘導板２２の前方に設けられた１つの当選孔２３と２つの落選孔２４のいずれか１つに入る。当選孔２３はＶ入賞口と呼ばれる特定領域であり、ステージ面２２ａ上を転動した遊技球が当選孔２３に入ると、この遊技球は遊技盤４の裏面側に当たり球として排出されて「大当たり」と呼ばれる遊技状態へ移行する。なお、このようにして「大当たり」が発生すると、前記大入賞口１５が例えば１回につき３０秒経過するまで、あるいは遊技球が９個入賞するまで開放状態を維持し、かかる開放動作を１５回繰り返した後に「大当たり」が終了する。一方、落選孔２４はハズレと呼ばれる非特定領域であり、ステージ面２２ａ上を転動した遊技球が落選孔２４に入ると、この遊技球は遊技盤４の裏面側にハズレ球として排出され、この場合は大入賞口１５の開放動作は行われない。
【００１９】
図３と図４に示すように、誘導板２２の前端側には左右一対の軸支部２２ｂが設けられており、誘導板２２はこれら軸支部２２ｂを支点として筐体１７に回動可能に支持されている。また、誘導板２２の裏面側に画成された空間には、筐体１７の平坦面１７ａ上に載置された動作部材２５と、軸部２６ａを中心として筐体１７に回転可能に支持された保持体２６とが配設されており、保持体２６は誘導板２２と動作部材２５との間に起立状態で介設されている。動作部材２５は磁石に吸着されやすい鉄等の磁性材料からなり、その下面は平坦面１７ａとの接触面積を小さくするように湾曲面となっている。なお、平坦面１７ａには一対のガイド突起１７ｂが前後方向に沿って形成されており、これらガイド突起１７ｂによって動作部材２５は前後方向へのみ移動できるように規制されている。動作部材２５の上面には一対の係合突起２５ａが設けられており、これら係合突起２５ａは所定間隔を存して対向している。保持体２６は上下両端部にアールを付けた板状部材であり、軸部２６ａは保持体２６の中央部を挿通するように左右方向へ延びている。保持体２６の上端は誘導板２２の裏面に当接しており、保持体２６の下端部は動作部材２５の両係合突起２５ａ間に挿入されている。
【００２０】
このように構成された弾球遊技機１において、通常遊技中に第１または第２始動口１３，１４への入賞を契機に可動片１２が開放動作し、それに伴って遊技球が役物装置１１の流入口１９から上部空間Ｓ１内に入球すると、図２の矢印で示すように、この遊技球は誘導路２０に案内されて隔壁１８上に落下し、振分け突部１８ａで任意方向に方向転換されて隔壁１８上を後端部に向かって転動した後、いずれか１つの落下孔１８ｂに入って直接またはガイド筒２１を通って下部空間Ｓ２の内部へと落下する。そして、下部空間Ｓ２内へ落下した遊技球は、前傾姿勢に保持された誘導板２２のステージ面２２ａ上を前端部に向かって転動した後、最終的には誘導板２２の前方に設けられた１つの当選孔２３と２つの落選孔２４のいずれか１つに入る。その際、ガイド筒２１を通って誘導板２２上へ落下した遊技球は、ステージ面２２ａのほぼ中央部を前方へ向かって転動するため高い確率で当選孔２３に入る。これに対し、左右の落下孔１８ｂから誘導板２２上へ落下した遊技球は、ステージ面２２ａの左右付近を前方へ向かって転動する傾向が高いため、そのほとんどが落選孔２４に入ることになる。
【００２１】
このように遊技球が誘導板２２のステージ面２２ａ上を落選孔２４に向かって転動しているときに、ガラス枠５を叩くという「ド突き」行為によって遊技球を当選孔２３へ強引に導こうとすると、図５に示すように、動作部材２５が「ド突き」の外力を受けて平坦面１７ａ上を摺動して前方へ移動するため、保持体２６が軸部２６ａを中心に同図の時計方向へ回転し、それに伴って前傾姿勢に保たれていた誘導板２２が軸支部２２ｂを中心に時計方向へ回動して後傾姿勢となる。その結果、ステージ面２２ａ上の遊技球が後方へ向かって転動してしまうため、「ド突き」によって遊技球を当選孔２３に意図的に導くことはできず、検知センサや不正防止制御回路などの高価な電気的駆動手段を使用しなくても、メカニカルな構成によって不正行為を確実に防止することができる。その際、後傾姿勢となった誘導板２２のステージ面２２ａ上を後方へ向かって転動した遊技球は、そのまま下部空間Ｓ２の内部に滞留させておいても良いが、誘導板２２の後端部に設けた図示せぬ回収孔を通って遊技盤４の裏面側へ排出させることも可能である。
【００２２】
また、遊技球が誘導板２２のステージ面２２ａ上を落選孔２４に向かって転動しているときに、ガラス枠５に取り付けられた透明板に磁石を近付けて遊技球を当選孔２３へ誘導しようとすると、動作部材２５が磁石の吸着力によって平坦面１７ａ上を摺動して前方へ移動するため、上記した「ド突き」の場合と同様に、前傾姿勢に保たれていた誘導板２２が回動して後傾姿勢となる。したがって、「ド突き」だけでなく磁石による不正行為も確実に防止することができる。
【００２３】
なお、上記実施形態例において、「ド突き」や磁石による不正行為を外部に報知するために、誘導板２２の後傾姿勢への回動によって動作する検知スイッチを設け、この検知スイッチの検知信号によって警告灯や警告音等の報知手段を作動させるようにしても良い。
【００２４】
また、上記実施形態例において、動作部材２５と保持体２６をそれぞれの初期位置に復帰させる復帰機構を付設し、動作部材２５と保持体２６が「ド突き」や磁石によって図５の状態となったとき、これを復帰機構によって図４の状態に戻すようにしても良い。かかる復帰機構の一例として、動作部材２５の後端に巻き取り装置のワイヤを連結するという構成が挙げられ、この巻き取り装置を作動させることで前方へ移動した動作部材２５を後方に引き戻すようにすれば良い。一方、保持体２６については、軸部２６ａの端部に設けた係止片を押上装置で回転させるという構成が挙げられ、この押上装置を作動させることで水平状態となった保持体２６を起立状態に戻すようにすれば良い。
【００２５】
また、上記実施形態例では、遊技球の振分け機能を有する誘導板２２の上方に隔壁１８を配設し、この隔壁１８にも遊技球の振分け機能を持たせた場合について説明したが、役物装置１１の内部に入球した遊技球が誘導板２２上に至るまでの構成はこれに限定されず、例えば流入口１９から入球した遊技球が誘導板２２上に直接落下するようにしても良く、この場合は隔壁１８が省略されることになる。
【００２６】
また、上記実施形態例では、誘導板２２のステージ面２２ａ上を転動した遊技球が当選孔２３に入球して「大当たり」になったとき、大入賞口１５が所定回数開放することで多くの賞球を獲得できるようにしているが、大入賞口１５の代わりに役物装置１１の可動片１２を所定回数開放するようにしても良い。
【図面の簡単な説明】
【００２７】
【図１】本発明の実施形態例に係る弾球遊技機の正面図である。
【図２】該弾球遊技機に備えられる役物装置の正面図である。
【図３】該役物装置の要部を示す説明図である。
【図４】該役物装置の通常使用状態を示す要部断面図である。
【図５】図４に示す誘導板の動作説明図である。
【符号の説明】
【００２８】
１  弾球遊技機
４  遊技盤
５  ガラス枠
９  遊技領域
１１  役物装置
１２  可動片
１３  第１始動口
１４  第２始動口
１５  大入賞口
１７  筐体
１７ａ  平坦面
１８  隔壁
１９  流入口
２０  誘導路
２２  誘導板
２２ａ  ステージ面
２２ｂ  軸支部
２３  当選孔（特定領域）
２４  落選孔（非特定領域）
２５  動作部材
２５ａ  係合突起
２６  保持体
２６ａ  軸部
Ｓ１  上部空間
Ｓ２  下部空間
【図１】
2010119488.tif 000003
【図２】
2010119488.tif 000004
【図３】
2010119488.tif 000005
【図４】
2010119488.tif 000006
【図５】
2010119488.tif 000007